(57)【要約】【課題】被せ蓋の開閉に際して本人又は周囲にいる者が怪我をすることを防止するとともに、収容物が少ないときでも筆箱等の小物入れの位置を固定でき、更に被せ蓋を閉じた状態で小物の出し入れが可能なスクールバッグを提供する。【解決手段】本体部２と本体部正面側に配置したポケット部１２と本体部上方からポケット部までを開閉自在に覆う被せ蓋２０と本体部背面側に取り付けられた背負いベルト１７を具備し、本体部は、底板５と底板両端部に上方向へ連設された大マチ部６で構成された胴部４と、胴部背面側に配置された背板８と、胴部正面側に配置された大仕切り板７を具備した主収容部３を有し、ポケット部は、小マチ部１３と小マチ部正面側に配置した正面板と正面板に装着した本体側係止部材１６を具備し、被せ蓋は、小物入れ２３と、本体側係止部材に係脱自在の被せ蓋側係止部材２１を具備した。【選択図】図１
2017006373.tif 000002
【特許請求の範囲】
【請求項１】
本体部（２）と、
該本体部（２）の正面側に配置したポケット部（１２）と、
前記本体部（２）の上方から前記ポケット部（１２）までを開閉自在に覆う被せ蓋（２０）と、
前記本体部（２）の背面側に取り付けられた背負いベルト（１７）と、を具備したスクールバッグであって、
前記本体部（２）は、少なくとも、底板（５）と該底板（５）の両端部に上方向へ連設させた大マチ部（６）とで構成された胴部（４）と、該胴部（４）の背面側に配置された背板（８）と、前記胴部（４）の正面側に配置された大仕切り板（７）と、を具備した主収容部（３）を有し、
前記ポケット部（１２）は、底部を有する小マチ部（１３）と、該小マチ部（１３）の正面側に配置した正面板（１４）と、該正面板（１４）に装着した本体側係止部材（１６）と、を具備し、
前記被せ蓋（２０）は、
小物入れ（２３）と、
前記被せ蓋（２０）を閉じた際に前記本体側係止部材（１６）に対向する箇所に装着した、前記本体側係止部材（１６）に係脱自在の被せ蓋側係止部材（２１）と、を具備した、ことを特徴とするスクールバッグ。
【請求項２】
前記被せ蓋（２０）に開口部（２２）を形成し、
該開口部（２２）を閉鎖する配置で前記被せ蓋（２０）の裏面に前記小物入れ（２３）を装着するとともに、
前記小物入れ（２３）は、前記開口部（２２）側に開閉自在とした正面側蓋部（２６）を有したことを特徴とする請求項１に記載のスクールバッグ。
【請求項３】
前記小物入れ（２３）は着脱自在にして前記被せ蓋（２０）の裏面に装着したことを特徴とする請求項２に記載のスクールバッグ。
【請求項４】
前記小物入れ（２０）における反正面側蓋部側の面に、開閉自在とした裏面側蓋部（２７）を具備したことを特徴とする請求項２又は請求項３に記載のスクールバッグ。
【請求項５】
前記小物入れ（２３）を前記本体部（２）に着脱自在にしたことを特徴とする請求項２乃至は請求項３に記載のスクールバッグ。
【請求項６】
前記被せ蓋（２０）の表面に前記小物入れ（２３）を装着したことを特徴とする請求項１に記載のスクールバッグ。
【請求項７】
前記小物入れ（２３）は着脱自在にして前記被せ蓋（２０）の表面に装着したことを特徴とする請求項６に記載のスクールバッグ。
【請求項８】
前記主収容部（２）の正面側に、底部を備えた中マチ部（１０）と該中マチ部（１０）の正面側に備えた中仕切り板（１１）とを具備した胴前収容部（９）を取り付け、該胴前収容部（９）に前記ポケット部（１２）を配置したことを特徴とする請求項１乃至請求項７のいずれかに記載のスクールバッグ。
【発明の詳細な説明】
【技術分野】
【０００１】
本発明はスクールバッグに係り、より詳しくは、被せ蓋の開閉に際して金具によって本人や周囲にいる者が怪我をすることを防止することができるとともに、被せ蓋を開くことなく鉛筆等の小物を取り出し及び収納可能としたスクールバッグに関する。
【背景技術】
【０００２】
ランドセルに代表されるスクールバッグは、上部に開口を有する主収容部を有しており、この主収容部は一般的に、底板とこの底板の両端部に上方向へ連設させた大マチ部とで構成される胴部と、この胴部の背面側に取り付けられた背板と、胴部の正面側に取り付けられた前板とで構成されている。
【０００３】
即ち、図６が一般的なスクールバッグ５１を示す斜視図であり、図において５２が主収容部である。そして、主収容部は、底板５４とこの底板５４の両端部に上方向へ連設させた大マチ部５５とで構成された胴部５３を具備しており、この胴部５３の背面側には背板５６が取り付けられ、また胴部５３の正面側には大仕切り板５７が取付けられ、これにより、上部を開口とした主収容部５２が構成されている。
【０００４】
また、主収容部５２の正面側には、底部を備えた中マチ部５９が取り付けられており、この中マチ部５９の正面側には中仕切り板６０が取り付けられ、中マチ部５９と中仕切り板６０とで、上部を開口とした胴前収容部５８が構成されている。
【０００５】
更に、胴前収容部５８の正面側にはポケット部６５が備えられており、このポケット部６５は、底部を備えた小マチ部６６と、この小マチ部６６の正面側に配置された正面板６７を具備して構成されており、ファスナー７２によって、上部、あるいは左右側壁部の上方部分から上部までが、開閉自在とされている。
【０００６】
そして、前記主収容部５２の上部開口から前記ポケット部６５の下方部分までを覆うことができるように、開閉可能な配置で、背板５６側に、被せ蓋６１の基端側が取り付けられている。
【０００７】
また、前記背板５６には一対の肩ベルト６２が取り付けられており、この一対の肩ベルト６２はそれぞれ、前記背板５６の上部中央部分に取り付けた背環（図示せず）によって、その上端が前記背板５６に取り付けられており、下端部はそれぞれ、前記底板５４に装着した、いわゆる「だるま環」（図示せず）に回動自在に装着した下ベルトに、着脱自在に連結されている。
【０００８】
ところで、従来のスクールバッグでは、被せ蓋の先端側に、いわゆる「Ｙベロ」と言われる連結用の生地を取り付けており、この「Ｙベロ」の先端に被せ蓋側係止金具を取り付け、一方、主収容部の底部分には本体側係止金具を取り付けて、被せ蓋側係止金具を本体側係止金具に係止することで被せ蓋を固定していた。
【０００９】
即ち、図７が、一般的にスクールバッグに用いられている被せ蓋６１の先端部分を示す図で、図において７１が「Ｙベロ」である。また、図において６８が被せ蓋側係止金具であり、この被せ蓋側係止金具６８は、Ｙベロ７１を介して、前記被せ蓋６１の先端に揺動自在に取り付けられている。一方、図８は従来のスクールバッグの本体部の底部分を示す図で、図において６９が本体側係止金具である。そして、本体側係止金具６９は回動自在であり、一方、被せ蓋側係止金具６８には本体側係止金具６９が貫通する貫通孔７０が形成されている。
【００１０】
そしてこの構成によって、本体側係止金具で貫通孔７０を貫通し、その後に本体側係止金具６９を回動することで、本体側係止金具６９に被せ蓋側係止金具６８を係止可能としており、一方、本体側係止金具を、貫通孔７０から抜け出る方向に回動し、その後に、本体側係止金具６９が貫通孔７０から抜けるように被せ蓋側係止金具６８を動かすことで、被せ蓋１８を開くことを可能としていた。
【００１１】
そのため、従来のスクールバッグでは、被せ蓋の開閉を行うに際して、被せ蓋側係止金具６８が上下方向に大きく揺れてしまうので、被せ蓋を開閉する際に、この被せ蓋側係止金具６８が本人あるいは周囲にいる者に当たってしまい、それにより、本人あるいは周囲にいる者が怪我をしてしまうおそれが考えられた。
【００１２】
また、被せ蓋側係止金具６８があることでスクールバッグ全体の重量が多くなっているのみならず、被せ蓋側係止金具６８があることによって本体側係止金具６９も必要となり、これらの係止金具の存在によって更に、スクールバッグ全体の重量が多くなってしまっていた。
【００１３】
更に、従来のスクールバッグでは、筆箱等の小物入れは一般的に、前記主収容部５２内において、教科書等と主収容部の側壁間の隙間や、教科書と前板あるいは裏板間、あるいは教科書間に収容した。そのため、被せ蓋を開かない限りは小物を取り出すことができないとともに、教科書等の収容物が少ないときは、小物入れが主収容部内で遊動してしまうため、スクールバッグを背負いづらくなるとともに、小物入れが破損するおそれも考えられた。
【００１４】
この点、従来、小物入れ等の収容物の揺れ動きを防止するための仕切り具も提供されており、これらの仕切り具を用いることで、教科書等の収容物が少ないときに小物入れが主収容部内で遊動してしまうことをある程度は防止することはできるが、その場合でも、被せ蓋を開かない限りは小物を取り出すことができないという問題点を解決することはできない。
【先行技術文献】
【特許文献】
【００１５】
【特許文献１】特開２０１３−１７６５０８号公報
【特許文献２】特開２００８−２５９６０８号公報
【特許文献３】実用新案登録第３１６７６９５号公報
【特許文献４】実用新案登録第３１８２６１０号公報
【発明の概要】
【発明が解決しようとする課題】
【００１６】
そこで、本発明は、被せ蓋の開閉に際して本人又は周囲にいる者が怪我をすることを防止できるとともに、収容物が少ないときでも筆箱等の小物入れの位置を固定でき、更に、被せ蓋を開くことなく鉛筆等の小物を取り出し及び収納可能としたスクールバッグを提供することを課題としている。
【課題を解決するための手段】
【００１７】
本発明のスクールバッグは、
本体部と、該本体部の正面側に配置したポケット部と、前記本体部の上方から前記ポケット部までを開閉自在に覆う被せ蓋と、前記本体部の背面側に取り付けられた背負いベルトと、を具備したスクールバッグであって、
前記本体部は少なくとも、底板と底板の両端部に上方向へ連設させた大マチ部とで構成された胴部と、胴部の背面側に配置された背板と、胴部の正面側に配置された大仕切り板と、を具備した主収容部を有し、
前記ポケット部は、底部を有する小マチ部と、小マチ部の正面側に配置した正面板と、正面板に装着した本体側係止部材と、を具備し、
前記被せ蓋は、
小物入れと、
前記被せ蓋を閉じた際に前記本体側係止部材に対向する箇所に装着した、前記本体側係止部材に係脱自在の被せ蓋側係止部材と、を具備した、ことを特徴としている。
【発明の効果】
【００１８】
本発明のスクールバッグでは、ポケット部を構成する正面板に本体側係止部材を装着するとともに、被せ蓋における、被せ蓋を閉じた際に本体側係止部材に対向する箇所には、ポケット部の正面板に装着した本体側係止部材に係脱自在の被せ蓋側係止部材を具備しており、これにより、被せ蓋を閉じることで被せ蓋側係止部材が本体側係止部材に係止し、被せ蓋を固定することを可能としている。
【００１９】
そのために、従来のスクールバッグと異なり、被せ蓋の先端に被せ蓋側係止金具を取り付けることが不要となるとともに、本体側にも本体側係止金具を取り付けることが不要となり、被せ蓋の開閉の際に被せ蓋側係止金具によって本人や周囲にいる者が怪我をすることを防止することができるとともに、全体を軽量化することが可能である。
【００２０】
また、本発明のスクールバッグでは、被せ蓋に小物入れを有しているため、教科書等の収容物が少ないときでも小物入れの位置を固定することが可能である。
【図面の簡単な説明】
【００２１】
【図１】本発明のスクールバッグの実施例の斜視図である。
【図２】本発明のスクールバッグの実施例の側面を示す図である。
【図３】本発明のスクールバッグの実施例を説明するための図であり、被せ蓋を分離した状態を示す図である。
【図４】本発明のスクールバッグの実施例における小物入れを説明するための図である。
【図５】本発明のスクールバッグの実施例の他の構成を示す斜視図である。
【図６】従来のスクールバッグを説明するための図である。
【図７】従来のスクールバッグにおける被せ蓋の係止方法を説明するための図であり、被せ蓋の先端部分を示している。
【図８】従来のスクールバッグにおける被せ蓋の係止方法を説明するための図であり、本体部の底部分を示している。
【発明を実施するための形態】
【００２２】
本発明のスクールバッグは本体部を有しており、この本体部の正面側にはポケット部が配置され、本体部の上方からポケット部までを開閉自在に覆うことが可能なように被せ蓋が備えられ、更に、本体部の背面側には背負いベルトが取り付けられている。
【００２３】
そして、本体部は主収容部を有しており、この主収容部は、底板とこの底板の両端部に上方向へ連設させた大マチ部とで構成された胴部と、胴部の背面側に配置された背板と、胴部の正面側に配置された大仕切り板を具備して構成され、上部を開口とした形態としている。
【００２４】
また、主収容部の正面側には胴前収容部を有しており、この胴前収容部は、底部を備えた中マチ部と、この中マチ部の正面側に備えた中仕切り板を具備して構成され、主収容部と同様に上部を開口としており、主収容部と胴前収容部で本体部を構成している。
【００２５】
そして、この胴前収容部の正面側にポケット部が配置されており、このポケット部は、底部を有する小マチ部と、小マチ部の正面側に配置した正面板とを具備して構成され、正面板には、本体側係止部材が装着されている。
【００２６】
また、被せ蓋は、本体部の上部の開口を閉鎖しながらポケット部の正面板までを覆うことが可能な形状寸法としており、裏面又は表面には、小物入れを具備している。
【００２７】
更に、被せ蓋には、被せ蓋を閉じた際にポケット部の正面板に装着した本体側係止部材に対向する箇所に、本体側係止部材に係脱自在の被せ蓋側係止部材が取り付けられており、被せ蓋を閉じるのみで、本体側係止部材に蓋側係止部材が係止し、被せ蓋が開いてしまうことを防止することが可能である。
【００２８】
ここで、前記被せ蓋に開口部を形成し、この開口部を閉鎖する配置で、被せ蓋の裏面に小物入れを装着するとともに、小物入れにおける前記開口部側には、開閉自在とした正面側蓋部を具備するとよく、これにより、正面側蓋部を開くことで、被せ蓋を閉じた状態のままで小物入れ内の小物の出し入れが可能となる。
【００２９】
また、前記小物入れは着脱自在にして被せ蓋の裏面に装着してもよく、更に、小物入れにおける正面側蓋部に対向する面に、開閉自在にして裏面側蓋部を具備してもよく、これにより、被せ蓋の裏面側からも小物入れ内の小物を出し入れすることが可能となり、被せ蓋を閉じた状態のままで、小物入れ内の空間を介して、本体部内の小物を出し入れすることも可能となる。
【００３０】
また、被せ蓋の裏面に小物入れを装着する際には、マグネット、連結金具等によって、小物入れを本体部に着脱自在にしてもよく、それにより、本体側係止部材と蓋側係止部材の係止に加えて、小物入れを介して被せ蓋を本体部に固定することも可能となり、より強固に被せ蓋が開くことを防止することが可能である。
【実施例１】
【００３１】
本発明のスクールバッグの実施例について図面を参照して説明すると、図１は本実施例のスクールバッグの正面側の斜視図であり、また、図２は本実施例のスクールバッグを側面から示した図、図３は、本実施例のスクールバッグを一部分解して示した斜視図であり、図において１が本実施例のスクールバッグである。
【００３２】
そして、本実施例のスクールバッグ１は、上部を開口とした本体部を有している。即ち、図において２が本体部であり、本実施例において前記本体部２は、主収容部と、主収容部の正面側に取り付けた胴前収容部を備えている。
【００３３】
ここで、前記主収容部について説明すると、図において３が主収容部であり、本実施例において前記主収容部３は胴部を有している。即ち、図において４が胴部であり、この胴部４は、底板５と、この底板５の両端部に上方向へ連設させた大マチ部６で構成され、逆門状としている。そして、胴部４の正面側開口は大仕切り板７で閉鎖され、胴部４の背面側開口は背板８で閉鎖され、これにより、上部を開口とした主収容部３が構成されている。
【００３４】
次に、図において９が胴前収容部である。即ち、本実施例のスクールバッグ１では、一般的なスクールバッグと同様に、前記主収容部３の正面側に、底部を備えた中マチ部１０が取り付けられ、この中マチ部１０の正面側には中仕切り板１１が取り付けられており、これにより、主収容部３の正面側に、上部を開口とした胴前収容部９が取り付けられ、主収容部２と胴前収容部９とで本体部が構成されている。
【００３５】
そして、前記本体部２の正面側にはポケット部が配置されている。即ち、図において１２がポケット部であり、本実施例のスクールバッグ１では、前記胴前収容部９の正面側にポケット部１２を配置している。ここで、前記ポケット部１２について説明すると、図３において本実施例において前記ポケット部１２は、底部を有する小マチ部１３を具備しており、この小マチ部１３は、前記胴前収容部９における中仕切り板１１の正面側に装着されている。
【００３６】
そして、前記小マチ部１３の正面側には、小マチ部１３の正面側の開口を覆う配置で正面板１４が装着され、ファスナー１５によってポケット部１２は、左右側面の上方部分から上部までが、開閉自在とされている。
【００３７】
また、図に示すように、前記ポケット部１２は、前記中仕切り板１１における下方部分に配置されており、前記正面板１４には、本体側係止部材１６が装着されている。
【００３８】
なお、前記胴前収容部９は必ずしも必要なものではなく、主収容部３のみで本体部２を構成して、大仕切り板７の正面側に小マチ部１３を装着することで、主収容部３の正面側にポケット部１２を配置しても良い。
【００３９】
次に、図において１７は肩ベルトである。即ち、本実施例において、前記背板８には一対の肩ベルト１７が取り付けられており、この肩ベルト１７は、それぞれの上端が、背板８の上部中央部分に取り付けた背環１８を介して、前記背板８に取り付けられている。
【００４０】
また、前記肩ベルト１７の下端部はそれぞれ、前記胴部４の下面に装着した、いわゆる「だるま環」と言われる連結金具１９に連結されている。但し、本発明において前記肩ベルト１７は必ずしも前述のような構成にする必要はなく、本体部２を背負うことが可能であればいずれの構成にしても良い。
【００４１】
次に、図において２０は被せ蓋である。即ち、本実施例のスクールバッグ１では、前記本体部２の上部開口から前記ポケット部１２の正面板１４までを開閉自在に覆うことができるように被せ蓋２０が備えられている。そして、被せ蓋２０は、背板８の上方側に基端側が取り付けられ、先端側部分は自由端とされ、先端を背板８側にして開くことで前記主収容部３の上部開口及び胴前収容部９の上部開口を開放して、一方、先端部をポケット部１２の正面板１４側にして閉じることで、前記主収容部３の上部開口及び胴前収容部９の上部開口を閉鎖することとしており、従って、閉じた際に先端が前記ポケット部１２の正面板１４の下方部分に至る程度の長さとしている。
【００４２】
そして、被せ蓋２０を閉じた際に、前記ポケット部１３の正面板１４に装着した前記本体側係止部材１６に対向する箇所には、前記本体側係止部材１６に係脱自在の被せ蓋側係止部材２１が備えられている。そのため、被せ蓋２０を閉じることで、被せ蓋側係止部材２１が本体側係止部材１６に係止され、それにより、被せ蓋２０が本体部側に固定され、被せ蓋２０が開いてしまうことを防止することができる。従って本実施例のスクールバッグでは、従来のスクールバッグと異なり、被せ蓋を固定するための被せ蓋側係止金具と本体側係止金具を備える必要が無くなり、被せ蓋の開閉の際に被せ蓋側係止金具によって本人や周囲にいる者が怪我をすることを防止することができるとともに、全体を軽量化することも可能である。なお、前記本体側係止部材２１及び被せ蓋側係止部材２１の連結方法は特に限定されず、マグネット、面ファスナー、連結具等、いずれの方法でも良い。
【００４３】
次に、図において２３は小物入れである。即ち、本実施例のスクールバッグ１では、図３に示すように、前記被せ蓋２０における前記被せ蓋側係止部材２１の上方に、被せ蓋２０を貫通した開口部２２を形成しており、この開口部２２を閉鎖する配置で、前記被せ蓋２０の裏面側に、小物入れ２３を装着している。そしてこれにより、被せ蓋２０を閉じた際に、前記ポケット部１２の上方に小物入れ２３が配置されるようにしている。
【００４４】
ここで、前記小物入れ２３について図３及び図４を参照して説明すると、図３は、被せ蓋２０を本体部２から分離するとともに被せ蓋２０は小物入れ２３を分離した状態を示す図であり、また、図４は、被せ蓋２０における小物入れ近傍の断面構造を示した図であり、図において被せ蓋２３は、前記開口部２２を通過可能な外径寸法の枠状の小物入れ本体２４を有しており、この小物入れ本体２４を前記被せ蓋２０に装着している。即ち、本実施例において前記小物入れ本体２４は、厚さ方向に見た正面側に、外周側に張り出した係止縁部２５を有しており、この係止縁部２５を前記被せ蓋２０における開口部２２の周辺部分に連結し、それにより、小物入れ２３を被せ蓋２０に装着している。そのため、本実施例においては、教科書等の収容物が少ないときでも小物入れが遊動することが無い。なお、係止縁部２５を前記被せ蓋２０における開口部２２の周辺部分に連結する方法は特に限定されず、縫製、接着等、いずれでも良い。
【００４５】
次に、前記小物入れ本体２４における厚さ方向に見た正面側及び後方側の開口はそれぞれ、正面側蓋部２６と裏面側蓋部２７で閉鎖されており、この正面側蓋部２６と裏面側蓋部２７はいずれも、開閉自在としている。そのために、本実施例のスクールバッグ１では、被せ蓋２０を閉じた状態で、小物入れ２３内の小物の出し入れを行うことが可能であるとともに、被せ蓋２０を開いた状態でも被せ蓋２０の裏面から小物入れ２３内の小物の出し入れを行うことも可能であり、更に、被せ蓋２０を閉じた状態で、小物入れ２３内を介して、本体部２やポケット部１２内の小物の出し入れを行うことも可能である。
【００４６】
なお、正面側蓋部２６の開閉方法は特に限定されず、いずれの方法で開閉自在としても良い。従って例えば、正面側蓋部２６の外径を前記係止縁部２５の外径と同様として、正面側蓋部２６の外縁部分と前記係止縁部２５を面ファスナー、マグネット等で着脱自在に接着してもよく、あるいは、前記小物入れ本体２４における厚さ方向に見た正面側を閉鎖して正面側蓋部２６を形成するとともにこの正面側蓋部２６の周縁部を外周側に張り出して係止縁部２５を形成し、正面側蓋部２６をファスナーで開閉自在としてもよい。また、裏面側蓋部２７の開閉方法も特に限定されず、ファスナー等、いずれの方法で開閉自在としても良い。但し、裏面側蓋部２７は必ずしも開閉自在にする必要なものではない。
【００４７】
また、前述の説明では、縫製、接着等によって、係止縁部２５を前記被せ蓋２０における開口部２２の周辺部分に連結する方法としたが、例えば面ファスナー、マグネット等の係脱自在の手段を用いて、小物入れを着脱自在にして被せ蓋２０に装着してもよい。
【００４８】
更に、図示は省略するが、マグネットや面ファスナー、あるいは連結具等によって、小物入れ２３を胴前収容部９に着脱自在としてもよい。即ち、例えば裏面側蓋部２７の外面にマグネット、面ファスナー、連結具等を装着し、一方、胴前収容部９の中仕切り板１１における、被せ蓋２０を閉じた際に、裏面側蓋部２７の外面に装着したマグネット、面ファスナー、連結具等に対向する箇所には、裏面側蓋部２７の外面に装着したマグネット、面ファスナー、連結具等に着脱自在なマグネット、面ファスナー、連結具等を装着する。そうすると、被せ蓋２０を閉じることで、前記小物入れ２３を介して被せ蓋２０を本体部２に係止することができ、前記被せ蓋係止部材２１と本体側係止部材１６の係止と相まって、更に、強固に被せ蓋２０を本体部側に固定することが可能である。但し、必ずしも小物入れ２３を胴前収容部９に着脱自在にする必要は無い。
【００４９】
次に、本実施例のスクールバッグの作用について説明すると、本実施例のスクールバッグでは、ポケット部を構成する正面板に本体側係止部材を装着するとともに、被せ蓋２０には、被せ蓋２０を閉じた際に前記本体側係止部材１６に対向する箇所に、本体側係止部材１６に係脱自在の被せ蓋側係止部材２１を備えているため、被せ蓋２０を閉じることで、被せ蓋側係止部材２１が本体側係止部材１６に係止され、それにより、被せ蓋２０が本体部側に固定され、被せ蓋２０が開いてしまうことを防止することができる。
【００５０】
従って、本実施例のスクールバッグでは、従来のスクールバッグとは異なり、被せ蓋の先端側に被せ蓋側係止金具を取り付けるとともに、主収容部の底部分に本体側係止金具を取り付ける必要が無くなり、被せ蓋の開閉の際に被せ蓋側係止金具によって本人や周囲にいる者が怪我をすることを防止することができるとともに、全体を軽量化することも可能となった。
【００５１】
そしてこのとき、マグネットや面ファスナー、あるいは連結具等によって、小物入れ２３を胴前収容部９に着脱自在にすることで、被せ蓋２０を閉じることで、前記小物入れ２３を介して被せ蓋２０を本体部２に係止することができ、被せ蓋係止部材２１と本体側係止部材１６の係止と相まって、更に、強固に被せ蓋２０を本体部側に固定することが可能である。
【００５２】
また、本実施例のスクールバッグでは、被せ蓋２０に開口部２２を形成するとともにこの開口部２２を閉鎖する配置で被せ蓋２０の裏面に小物入れ２３を装着しており、小物入れ２３における正面側には、開閉自在にして正面側蓋部２６を備えている。そのために、教科書等の収容物が少ないときでも小物入れが遊動することが無く、更に、被せ蓋２０を開くことなく、鉛筆等の小物の出し入れが可能である。
【００５３】
そして、このとき、小物入れ２３の裏面側に開閉自在にして裏面側蓋部２７を備えることで、被せ蓋２０を開いた状態でも被せ蓋２０の裏面から小物入れ２３内の小物の出し入れを行うことも可能であるとともに、被せ蓋２０を閉じた状態で、小物入れ２３内を介して、本体部２やポケット部１２内の小物の出し入れを行うことも可能となる。
【００５４】
また、小物入れを被せ蓋に着脱自在にすることで、複数種類の小物入れを用意しておき、成長度合いに応じて好みに合わせ、小物入れを交換することが可能である。
【００５５】
なお、前述の説明では、被せ蓋２０の裏面に小物入れを装着した構成を説明したが、小物入れ２３は必ずしも被せ蓋２０の裏面に装着する必要は無く、被せ蓋２０の表面側に小物入れ２３を装着しても良い。この構成を示した図が、図５である。即ち、図５に示すスクールバッグでは、被せ蓋２０の表面側に小物入れを装着しており、また、この小物入れ２３は、上方部分には、開閉自在にして蓋部２８を具備していり、縫製、接着等によって被せ蓋２０に固着し、あるいは、面ファスナー、マグネット等によって被せ蓋２０に着脱自在に装着している。
【００５６】
従って、図５に示すスクールバッグ１の場合においても、教科書等の収容物が少ないときでも小物入れが遊動することが無いとともに、被せ蓋２０を開くことなく、鉛筆等の小物の出し入れが可能である。なお、必ずしも、開閉自在にして蓋部２８を具備する必要は無く、小物入れ２３の上部、左右側部、あるいは正面部を、ファスナーによって開閉自在としてもよい。
【産業上の利用可能性】
【００５７】
本発明のスクールバッグは、従来のスクールバッグにおいて被せ蓋の先端に取り付けていた被せ蓋側係止金具と本体側に取り付けていた本体側係止金具を、不要とし、更に、被せ蓋を閉じた状態で小物の出し入れを可能にしているために、被せ蓋を有するとともに小物入れを収容する可能性のあるバッグの全般に適用可能である。
【符号の説明】
【００５８】
１    スクールバッグ
２    本体部
３    主収容部
４    胴部
５    底板
６    大マチ部
７    大仕切り板
８    背板
９    胴前収容部
１０    中マチ部
１１    中仕切り板
１２    ポケット部
１３    小マチ部
１４    正面板
１５    ファスナー
１６    本体側係止部材
１７    肩ベルト
１８    背環
１９    だるま環
２０    被せ蓋
２１    被せ蓋側係止部材
２２    開口部
２３    小物入れ
２４    小物入れ本体
２５    係止縁部
２６    正面側蓋部
２７    裏面側蓋部
２８    蓋部
【図１】
2017006373.tif 000003
【図２】
2017006373.tif 000004
【図３】
2017006373.tif 000005
【図４】
2017006373.tif 000006
【図５】
2017006373.tif 000007
【図６】
2017006373.tif 000008
【図７】
2017006373.tif 000009
【図８】
2017006373.tif 000010